(57)【要約】【課題】日射しを日除け網とつば体によって二重に遮断することにより日射しの遮断効果を高めることが可能な、日除け網付き遮光帽子を提供する。【解決手段】光線透過率と柔軟性に優れた材質で形成されたつば部１０と、前記つば部１０がヘアバンド部２０に結合するよう、前記つば部１０と前記ヘアバンド部２０の両側面に設置されるヒンジ３０と、前記ヒンジ３０によって結合した前記つば部１０が着用者の頭部に固定されるよう、外皮の外周縁と内皮の外周縁とが縫い合わせられて設けられた空間に弾性力のあるヘアバンドフレームが挿入されている前記ヘアバンド部２０とを含む遮光帽子において、前記つば部１０は、ポリカーボネート材質の板状構造で形成されたつば体１２と、前記つば体１２に結合し、前記つば体１２と同一形状の網構造で形成された日除け網１１とを含んでなる、日除け網付き遮光帽子を提供する。【選択図】図３
0003118079.tif 000002
【実用新案登録請求の範囲】
【請求項１】
光線透過率と柔軟性に優れた材質で形成されたつば部と、前記つば部がヘアバンド部に結合するよう、前記つば部と前記ヘアバンド部の両側面に設置されるヒンジと、前記ヒンジによって結合した前記つば部が着用者の頭部に固定されるよう、外皮の外周縁と内皮の外周縁とが縫い合わせられて設けられた空間に弾性力のあるヘアバンドフレームが挿入されている前記ヘアバンド部とを含む遮光帽子において、
前記つば部は、ポリカーボネート材質の板状構造で形成されたつば体と、前記つば体に結合し、前記つば体と同一形状の網構造で形成された日除け網とを含んでなることを特徴とする、日除け網付き遮光帽子。
【請求項２】
前記日除け網がポリエステル材質で形成されることを特徴とする、請求項１に記載の日除け網付き遮光帽子。
【請求項３】
前記日除け網が前記つば体の上部に結合することを特徴とする、請求項１または２に記載の日除け網付き遮光帽子。
【考案の詳細な説明】
【技術分野】
【０００１】
本考案は、日射しまたは紫外線を遮断するための帽子に係り、より詳しくは、日射しまたは紫外線を遮断するためにコート処理されたつばの上面に網構造の日除け網が結合して日射しをさらに遮断し得るようにした日除け網付き遮光帽子に関する。
【背景技術】
【０００２】
一般に、遮光帽子は、夏季に野外でスポーツを観覧しあるいは海水浴などを行う際、日射しや紫外線が顔に直接到達されることを防止するために着帽する。この種の帽子は、図１に示すように、紫外線を遮断するようにコートされたつば部１０と、帽子本体を使用者の頭部に固定させるように、弾性力のある材質で形成されたＣ字状ヘアバンドフレームが備えられたヘアバンド部２０とから構成される。
【０００３】
近年、日射しの角度に応じてヘアバンド部２０を軸としてつば部１０の位置を上下に調節するように、つば部とヘアバンド部がヒンジ３０によって結合されたものも登場している。
【０００４】
この種の帽子のつば部は、ガラスの光線透過率とほぼ同一の光線透過率、すなわち８５〜９１％を有し、柔軟性に優れて様々な形状の曲面を具現することが可能なポリカーボネートから構成されることが一般的なである。ところが、ポリカーボネートは、７２０〜３８０ｎｍ範囲の可視光線と３８０ｎｍ以下の紫外線を遮断することができないという問題点があった。
【０００５】
したがって、従来では、つば部を濃い赤茶色にして色相によって可視光線の一部と紫外線を遮断するようにし、あるいはポリカーボネートの表面に紫外線を吸収させる有機物質の紫外線遮断剤をコートして使用した。
【０００６】
ところが、従来の色相による可視光線および紫外線の遮断効果は極めて微々たるものであり、有機物質の紫外線遮断剤の場合も時間の経過に伴って日射しによって自体分解されてその機能が長期間持続されないという問題点があった。
【０００７】
また、つば部の位置を上、下に調節することが可能なヒンジ付き遮光帽子は、つば部を下方に回転させる場合に着用者の視野を確保しなければならないため、日射しを遮断するためのつば部の色相を濃くすることができなかったので、日射しの遮断効果が減少するという問題点があった。
【０００８】
また、従来のポリカーボネートからなるつば部は、日光に持続的に晒される場合、太陽熱によって直接加熱される。これにより、着帽者の顔に熱気が伝達されるので、遮光帽子を着用する効用性が減少するという問題点があった。
【考案の開示】
【考案が解決しようとする課題】
【０００９】
そこで、本考案は、かかる諸般問題点に鑑みてなされたもので、その目的とするところは、日射しを二重に遮断するよう、つばの上面に日除け網が付いている帽子を提供することにある。
【００１０】
本考案の他の目的は、つばの位置調節が可能なヒンジを備えた遮光帽子の場合に日射しの遮断効果を増大させ且つ着帽者の視野を確保することができるよう、網構造の日除け網が付いている帽子を提供することにある。
【課題を解決するための手段】
【００１１】
上記課題を解決するために、本考案の日除け網付き遮光帽子は、光線透過率と柔軟性に優れた材質で形成されたつば部と、前記つば部がヘアバンド部に結合するよう、前記つば部と前記ヘアバンド部の両側面に設置されるヒンジと、前記ヒンジによって結合した前記つば部が着用者の頭部に固定されるよう、外皮の外周縁と内皮の外周縁とが縫い合わせられて設けられた空間に弾性力のある前記ヘアバンドフレームが挿入されているヘアバンド部とを含む遮光帽子において、前記つば部は、ポリカーボネート材質の板状構造で形成されたつば体と、前記つば体に結合し、前記つば体と同一形状の網構造で形成された日除け網とを含んでなることを特徴とする。
【００１２】
また、本考案の他の特徴は、前記日除け網がポリエステル材質で形成されることである。
【００１３】
また、本考案の別の特徴は、前記日除け網が前記つば体の上部に結合することである。
【考案の効果】
【００１４】
本考案によれば、帽子に到達する日射しが日除け網とつば体によって二重に遮断されるようにすることにより、遮断効果を高め、着帽者の顔に太陽熱が伝達されることを防止することができる。
【００１５】
また、本考案によれば、ヒンジを備えた遮光帽子において、日射しの遮断効果を増大させ且つ日除け網の網構造によって着帽者の視野が確保されるようにすることにより、日射しの遮断効果を向上させることができる。
【００１６】
また、本考案によれば、日除け網の網構造によって、日射しがつば体に直接到達されることを防止することにより、紫外線遮断のための有機物質の紫外線遮断剤が日射しによって自体分解されることを遅延させることができる。
【考案を実施するための最良の形態】
【００１７】
以下に添付図面を参照しながら、本考案の好適な実施例について詳細に説明する。
【００１８】
図２ａ〜図２ｃは本考案によってつば体と日除け網が結合することを示し、図３は日除け網付き遮光帽子の着用例を示す図である。
【００１９】
本考案は、日射しを遮断するつば体１２及び前記つば体１２に結合する日除け網１１からなるつば部１０と、前記つば部１０を頭部に固定させるヘアバンド部２０と、前記ヘアバンド部２０を軸として前記つば部１０を上、下動させてその位置を調節することが可能なヒンジ３０とを含んでなる。
【００２０】
前記つば部１０は、つば体１２、日除け網１１およびつば縁部１３からなる。前記つば体１２は、光線透過率および柔軟性に優れて曲面を具現することが可能なポリカーボネートのような材質の板状構造で構成され、通常の遮光帽子に採用される三日月状を持つことが好ましい。
【００２１】
この際、つば体１２は、日射し遮断効果を高めるために赤茶色などの色を呈するように製造されるか、あるいは紫外線の遮断効果を高めるために紫外線を吸収する有機物質がコートされる。
【００２２】
前記日除け網１１は、前記つば体１２と同一の形状を有し、日射しを遮断しかつ着帽者の視野を確保することができるよう網構造で形成され、異物による汚染を防止するようポリエステル材質で構成されることが好ましいが、ポリエステル材質以外に、ナイロンや綿織物などの材質で構成されてもよい。
【００２３】
この際、前記日除け網１１を成す網構造の各網目によって設けられる空間の大きさは様々にすることができる。すなわち、ヒンジ構造なしにつばがヘアバンド部２０に直接縫い付けられて固定された帽子に前記日除け網１１が使用される場合には、日射し遮断の効果を増大させることができるよう、網目によって設けられる空間の大きさを小さくし、ヒンジ構造によって前記つばの上下動が可能な帽子に前記日除け網１１が使用される場合には、つば部１０を下動させても着帽者の視野を確保することができるよう、網目によって設けられる空間の大きさをより大きくする。
【００２４】
前記つば縁部１３は、前記日除け網１１をつば体１２の上面または下面に重なるように配置した後、前記日除け網１１の外周縁とつば体１２の外周縁を共に覆う、幅の狭い織物布から構成される。
【００２５】
この際、ヒンジ構造を備えた帽子の場合は、つば体１２の外周縁が全て露出するので、前記つば縁部１３が全外周縁を覆うように縫着され、ヒンジ構造を備えていない帽子の場合は、前記つば縁部１３が、ヘアバンド部２０と接するつば体１２の接触端部を除いた外周縁を覆うように縫着される。
【００２６】
このように前記つば縁部１３が、重なり合っている前記日除け網と前記つば体の外周縁を覆うように縫着されることにより、前記日除け網１１が前記つば体１２に固定される。
【００２７】
前記ヘアバンド部２０は、着帽の際に外部に露出する外皮と頭部に直接接触する内皮を、肌に柔らかくて汗の吸収力に優れた綿織物で形成し、前記外皮と前記内皮を重ね合ってその外周縁を縫い合わせた後、前記外皮と前記内皮との間に設けられた空間に、弾性力のある材質からなるＣ字状のヘアバンドフレームを挿入して構成される。
【００２８】
この際、ヒンジ構造を備えていない帽子の場合は、前記ヘアバンド部２０の底面が前記つば部１０の三日月状の凹んだ部分と結合して共に縫い付けられ、ヒンジ構造を備えた帽子の場合は、前記つば部１０の両側角部とこれに対応する前記ヘアバンド部２０の当該箇所にヒンジ構造が設置される。
【００２９】
このように構成された本考案に係る日除け網付き遮光帽子は、日射しが１次的に目の細かい網構造の日除け網に到達され、日除け網１１を構成するポリエステルによって一部が反射され、前記日除け網１１を通過した一部の日射しのみがつば体１２に到達されることにより、日射しまたは紫外線を二重に遮断することができる。
【００３０】
また、前記日除け網が、ヒンジ構造によって前記つば部の上下動が可能な帽子に使用される場合には、つば部１０を下動させても、日除け網１１を成す網構造の空間を介して着帽者の視野が確保されることにより、事物を見ることができる。
【００３１】
本考案は、上述した特定の実施例または図面に記載の内容にその技術的思想が限定されず、請求の範囲で請求する本考案の要旨から逸脱することなく、当該考案の属する技術分野における通常の知識を有する者であれば各種の変形例に想到し得ることは勿論であり、その変形例も当然本考案の請求範囲内に属する。
【図面の簡単な説明】
【００３２】
【図１】従来の遮光帽子の斜視図である。
【図２ａ】本考案に係る日除け網付き遮光帽子のつば体と日除け網が分離されている状態を示す。
【図２ｂ】本考案に係る日除け網付き遮光帽子のつば体と日除け網が一部重なり合っている状態を示す。
【図２ｃ】本考案に係る日除け網付き遮光帽子のつば体と日除け網が完全に重なり合った状態を示す。
【図３】本考案に係る日除け網付き遮光帽子の着用例示図である。
【符号の説明】
【００３３】
１０    つば部
１１    日除け網
１２    つば体
１３    つば縁部
２０    ヘアバンド部
３０    ヒンジ
【図１】
0003118079.tif 000003
【図２ａ】
0003118079.tif 000004
【図２ｂ】
0003118079.tif 000005
【図２ｃ】
0003118079.tif 000006
【図３】
0003118079.tif 000007